(57)【要約】      （修正有）【課題】  機器の第１、第２の筐体を結合するロック機構とロック機構解除のトリガーとなる部品を機器内部に設けてユーザーに筐体の分離操作をさせない。【解決手段】  第１の筐体に第２の筐体が挿入可能な外筐を設ける。外筐と第２の筐体に、結合するためのフック３６とフック掛り穴２６を設け、外筐に、フックのロックを解除するための単極の磁石４４とフック引外し板４３を有する始動板４１と、第２の筐体の挿入により圧縮されフックのロック解除時に第２の筐体を押出すばね５１設ける。外筐と第２の筐体との結合の解除は、外部から磁力により磁石４４に反発力を与えることにより行う。磁石４４に反発力を与えると始動板４１は内方に反りフック引外し板４３が移動してフック３６をフック掛り穴２６から外してロックを解除する。ロックの解除により第２の筐体はばね５１により押出される。【選択図】  図３
2006024821.tif 000002
【特許請求の範囲】
【請求項１】
第１の筐体と第２の筐体からなる機器の着脱装置であって、
前記第１の筐体はその１面に前記第２の筐体が挿入可能な外筐を備え、
前記外筐は前記第２の筐体を結合するためのフックとこのフックのロックを解除するための単極の磁石を有する始動板および第２の筐体の挿入により圧縮され前記フックのロック解除時に第２の筐体を押出すばねを備え、
前記フックのロックの解除は外部より前記始動板の磁石に反発力を発生させて行なうことを特徴とする機器の着脱装置。
【請求項２】
前記第２の筐体の結合は前記外筐のフックと第２の筐体に設けられたフック掛り穴との係合により行なうことを特徴とする請求項１に記載の機器の着脱装置。
【請求項３】
前記始動板は前記単極の磁石の反発力により反るアームとこのアームの可動端に設けられた斜辺を有するフック引外し板を有し、フック引外し板が前記フックと直交する方向に移動することにより前記フックの係合を外すことを特徴とする請求項２に記載の機器の着脱装置。
【発明の詳細な説明】
【技術分野】
【０００１】
本発明は、機器の１部を主となる機器から分離する着脱方法がユーザーに分らないようにした機器の着脱装置に関する。
【背景技術】
【０００２】
従来、機器の１部を主となる機器から分離可能にした電子機器では、ロック機構の解除方法がユーザーに解放されていて、ユーザーの意思で着脱が可能であり、何の工具も必要なく、レバー操作で任意の時に装置の分離ができるようにしたものがある（例えば、特許文献１）。また、従来の機器の１部を主となる機器から分離可能にした電子機器で、ロックのための機構が無く、着脱はネジ行なうようにしたものもある（例えば、特許文献２）。
【特許文献１】特開平5-326305号公報
【特許文献２】実公昭63-9907号公報
【発明の開示】
【発明が解決しようとする課題】
【０００３】
例えば、機器のアップ・グレードを考えた機器では、アップ・グレードの度に客先で機器の１部を主となる機器から分離してその内部の基板などを交換することが考えられる。その要件は、客先で交換操作を行うことも考え分離操作のスムーズ性、作業空間が充分確保でない状況下での作業があり工具の大きい、または長い治具を使うことは憚れる。また、特殊工具を使うにしても、操作部品が機器外部に露出していると、お客様の興味を引き何らかの操作を受け、設計意図に反して機器を分離が行われる可能性が高い。不要な事故の誘発原因になる事も考えられる。
【０００４】
本発明は、上記課題に鑑みてなされたものであり、機器の１部を主となる機器に結合するロック機構を設け、ユーザーに操作をさせないためロック機構解除のトリガーとなる部品を露出しないように機器内部に装填し、ロック解除操作の際に使用する工具も小さな磁石ですむようにした機器の着脱装置を提供することにある。
【課題を解決するための手段】
【０００５】
本発明は、第１の筐体と第２の筐体からなる機器の着脱装置であって、前記第１の筐体は前記第２の筐体が挿入可能な外筐を備え、前記外筐は前記第２の筐体を結合するためのフックとこのフックのロックを解除するための単極の磁石を有する始動板および第２の筐体の挿入により圧縮され前記フックのロック解除時に第２の筐体を押出すばねを備え、前記フックのロックの解除は外部より前記始動板の磁石に反発力を発生させて行なうことを特徴とするものである。
【０００６】
本発明によれば、外部より磁石などにより外筐内部にある始動板の磁石に反発力を与えると、始動板が動作してフックのロックが解除されるので、第２の筐体は第１の筐体に設けられている外筐から分離される。この分離方法を知らされていないユーザーは第２の筐体を分離ことが出来ないので、不要な事故の誘発を防止できる。
【発明の効果】
【０００７】
フックのロックを解除させる始動板が機器外部に露出していないため、安易にユーザーに触られること無く、サービス性が向上し、かつデザイン性の向上につながる。ロック解除のとき磁石の反発力を利用しているので、特別な工具が要らない。反発力の強弱は工具とする磁石の磁力によるので、磁力の選定で調節でき、機器内の磁石の保持力だけによらないで構成できる。第２の筐体を第１の筐体に結合する場合は、特別な工具をまったく用いず第１の筐体に設けられている外筐に嵌め込むだけで完了する。フックと第２の筐体との間に始動板があるので確実に離脱動作できる。モーター、ソレノイドなど電気駆動装置を用いないので、電源容量の軽減、ノイズ発生なし、容積確保に有利になる。
【発明を実施するための最良の形態】
【０００８】
本発明の実施形態に係る機器の着脱装置について図を用いて説明する。図１に本発明が適用されるトップボックスを有するビデオ信号処理装置（以下、機器）の筐体の概略構成図を、図２にトップボックス内ケースと外ケースを示す斜視図を、図３、図４、図５にトップボックス内ケースと外ケース間の要部構成を外ケースの一部を省略して示す斜視図、後面図、側面図を、図６にロック時および解除時のフックとフック引外し板の状態を示す側断面図を示す。
【０００９】
機器１は、ベースボックス（第１の筐体）１０とトップボックス（第２の筐体）２０とからなり、ベースボックス１０は上部にトップボックス２０を着脱可能に取付けるための外ケース３０を備えている。外ケース３０内に取付けられるトップボックス（以下、内ケース）２０は、外ケース３０に前方から嵌め込むことができる構造となっており、また、内ケース２０を外ケース３０に嵌め込んだ状態で内ケース２０の前面がベースボックス１０の前面と揃うようにしてある（図１）。
【００１０】
ベースボックス１０とトップボックス（内ケース）２０は、内部に信号処理の基板を内蔵しており、これら基板は内ケース２０をベースボックス１０上部に取付けられている外ケース３０に嵌め込むと、内ケース２０と外ケース３０間にあるコネクターで電気的に結合する構造を取っている(図示省略)。
【００１１】
上記内ケース２０は、内ケース本体２１と前面パネル２２とから構成されている。内ケース本体２１は、非磁性材（例えば、アルミ材）からなり、外幅は外ケース３０に設けられている始動板４１に当たらないように外ケース３０の内幅より小さく形成され、高さは始動板４１のフック引外し板４３が内ケース本体２１の上面に沿って移動できるように外ケース３０の内高より若干低く形成されている。内ケース本体２１の上壁２３には外ケース３０に形成されているフック板３５のフック３６が係合可能なフック掛り穴２６が形成されている。
【００１２】
上記外ケース３０は、非磁性材（例えば、アルミ材）からなり、外ケース３０の上壁３１には各々切り込み３４によりフック板３５が上下方向に撓み可能に形成され、フック板３５の先端部には下面にテーパー面３６ａを有するフック３６が形成されている。また、外ケース３０の側壁３２の内側には内ケース２０のフック掛り穴２６に係合しているフック板３５のフック３６を外すための始動板４１が設けられており、外ケース３０の後壁３３の内側には、内ケース２０の後壁２５により押圧され、フック板３５のフック３６が外された時内ケース２０を前方に押し出す押出しばね５１が設けられている。
【００１３】
上記始動板４１は、板ばね材からなる左右に撓み可能なアーム４２と、アーム４２の可動端の上縁部に形成され内ケース２０のフック掛り穴２６部分の上面に位置するフック引外し板４３と、アーム４２の可動端の外側面に設けられた単極の磁石４４とにより構成され、アーム４２の基部はスペーサ４５を介して外ケース３０の側壁３２の内側にとりつけられ、常時磁石４４が外ケース３０の側壁３２の内面の近傍に位置すると共に、外ケース３０の外部から磁石４４に対し同極性の磁力を与えると反発力によりアーム４２の可動端４２ａが内方に移動するようにしてある。フック引外し板４３は略直角三角形状をしており後辺が斜辺４３ａとなっている。
【００１４】
以下に、内ケース２０の外ケース３０に対する着脱の動作について説明をする。まず、内ケース２０を外ケース３０に挿入結合する時の動作について説明する。内ケース２０が外ケース３０から分離されている状態では、外ケース３０に設けられている始動板４１はその磁石４４が外ケース３０の側壁３２の内面近傍に位置しており、フック引外し板４３の先端部はフック板３５の先端下側に位置しフック３６を上方に押し上げない状態にあり、フック３６の先端部３６ｂはフック引外し板４３の下面高さ位置より下方に突出した状態にある（図６（Ａ）から内ケース２０を外した状態）。
【００１５】
上記状態にある外ケース３０に内ケース２０を前方より挿入する。内ケース２０の後部が外ケース３０に入ると後部上縁２３ａがフック３６下面のテーパー部３６ａを滑りフック板３５を上方に反らし、次いで内ケース２０の上面でフック板３５を上方に反らした状態で進み内ケース２０の後壁２３が押出しばね５１を圧縮する。内ケース２０の前面パネル２１の後面２１ａが外ケース３０の前端部に当接すると同時又はその直前に、内ケース２０の上面で上方に反らされていたフック板３５のフック３６が内ケース２０のフック掛り穴２６に落ち込みフック板３５の反りはなくなり、ロック状態となる。このロック状態では内ケース２０が圧縮されている押出しばね５１により前方に付勢されているので、フック３６はフック掛り穴２６の後縁２６ａで前方に押されているため内ケース２０は外ケース３０に確実に結合される（図６（Ａ））。
【００１６】
次に、上記結合された内ケース２０を外ケース３０から分離させる時の動作について説明する。機器１の外部から始動板４１の磁石４４のある位置に向けて磁石４４に反発力を発生させる磁力を与える。例えば、磁石４４と同極の磁石Ｍ（図示省略）を機器外部から磁石４４に対峙させる。磁石４４は磁石Ｍとの反発力を始動板４１に伝える。これにより始動板４１のアーム４２は内ケース２０側に反り、始動板４１のフック引外し板４３は内ケース２０上面をスライドしその後部の斜辺４３ａがフック３６のテーパー部３６ａを滑りフック３６を押し上げてフック板３５を上方に反らしフック３６を内ケース２０のフック掛り穴２６から外す（図６（Ｂ））。フック３６がフック掛り穴２６から外れると押出しばね５１で付勢されている内ケース２０は押出しばね５１の力で前方移動し、内ケース２０のフック掛り穴２６はフック３６のある位置から前方に外れロックが完全に解除される。磁石４４の初期反発磁力が衰えると始動板４１は自己のばね力で定常位置に戻る。前方に移動した内ケース２０は手で外ケース３０から引き出し分離する。
【００１７】
上記実施の形態によれば、内ケース２０を外ケース３０に挿入し押し込むだけで内ケース２０を外ケース３０に結合することができると共に、外部から磁石などにより内部にある始動板４１の磁石４４に反発力を与えることでフック３６のロックを解除して内ケース２０を分離することができる。ロックの解除はフック引外し板４３の斜辺４３ａがフック３６のテーパー部３６ａを滑ることでフック３６のロックを解除させる構成となっており、フック引外し板４３に掛かる力は小さくて済むため、始動板４１を反り易くして形成しておけば、磁石４４の反発力があまり大きくなくても確実にロックを解除することができる。
【００１８】
上記実施の形態では内ケース２０の挿入／引き出しをレール・スライドを用いることなく行なっているが、外ケース３０の内に始動板４１があるので、外ケース３０に内ケース２０を案内するガイドレールなどを設けることが望ましい。また、始動板４１を両側に設けているが、片側のみとすることもできる。
【図面の簡単な説明】
【００１９】
【図１】本発明の実施の形態に係るトップボックスを有する機器の概略構成図。
【図２】、  トップボックス（内ケース）と外ケースを示す斜視図。
【図３】内ケースと外ケース間の要部構成を外ケースの一部を破断して示す斜視図。
【図４】内ケースと外ケース間の要部構成を外ケースの一部破断して示す後面図。
【図５】内ケースと外ケース間の要部構成を外ケースの側壁を省略して示す側面図。
【図６】（Ａ）ロック時のフックとフック引外し板との関係を示す側断面図。（Ｂ）解除時のフックとフック引外し板との関係を示す側断面図。
【符号の説明】
【００２０】
１…機器、  １０…ベースボックス（主となる機器、第１の筐体）  ２０…トップボックス、内ケース（機器の１部、第２の筐体）、  ２６…フック掛り穴、  ３０…外ケース、  ３６…フック、  ４１…始動板、  ４３…フック引外し板、  ５１…押し出しばね。
【図１】
2006024821.tif 000003
【図２】
2006024821.tif 000004
【図３】
2006024821.tif 000005
【図４】
2006024821.tif 000006
【図５】
2006024821.tif 000007
【図６】
2006024821.tif 000008